(57)【特許請求の範囲】
【請求項１】
複数の店舗内に設けられ、各店舗において会員登録した会員に対して個々の遊技場において個別に発行される記録媒体であって該会員を個々に識別可能な会員識別情報が記録された会員用記録媒体を受付け、該受付けた会員用記録媒体から読み出した会員識別情報を含む会員用記録媒体受付け通知を送信する受付け通知送信手段を備える端末装置と、
該端末装置と通信可能に接続されて前記各店舗内に設けられ、当該店舗における各会員の前記会員識別情報に対応付けて、該店舗において当該会員が使用可能な有価価値の大きさを記憶するための会員有価価値記憶手段を備える管理装置と、
各店舗に設けられた前記管理装置と通信可能に接続されて前記店舗外に設けられ、各店舗毎に、前記会員登録に基づいて当該店舗の前記管理装置から送信される該店舗における各会員の属性情報を含む会員関連情報と当該会員の前記会員識別情報とを対応付けて記憶するための会員関連情報記憶手段を備え、各店舗における会員を集中管理する集中管理装置と、
から成る店舗用システムであって、
前記集中管理装置は、
アンケート依頼者から依頼されたアンケート内容を含むアンケート情報を記憶するためのアンケート情報記憶手段と、
該アンケート記憶手段に記憶されているアンケート情報を会員が操作可能な情報端末に配信するアンケート配信手段と、
該アンケート配信手段にて配信したアンケート情報に含まれるアンケート内容に対する回答を受付けるアンケート回答受付け手段と、
該アンケート回答受付け手段における回答の受付けに基づいて、当該受付けた回答を行った会員が会員登録している１の店舗における会員識別情報と該会員識別情報に対応付けて前記会員関連情報記憶手段に記憶されている会員属性情報とを特定するとともに、該特定した会員属性情報と同一の会員属性情報が前記会員関連情報記憶手段に対応付けて記憶されている会員識別情報を当該会員が会員登録している他の店舗の会員識別情報として全て特定する会員識別情報特定手段と、
前記会員識別情報特定手段にて特定された会員識別情報が複数であるときに、該特定された複数の会員識別情報が該当する店舗を特定可能な店舗情報を前記情報端末に対して送信して、該情報端末より、アンケート内容への回答により付与される有価価値の大きさを使用する店舗の指定を該送信した店舗情報から特定される店舗の内から受付ける店舗指定受付手段と、
前記店舗指定受付手段にて指定を受付けた店舗における当該会員の会員識別情報と、当該回答に対して付与する有価価値の大きさの付与を指示する旨とを含む有価価値付与指示を、該受付けた店舗に設けられた前記管理装置に送信する付与指示送信手段と、
を備え、
前記管理装置は、
前記付与指示送信手段から送信される有価価値付与指示の受信に基づいて、該有価価値付与指示に含まれる会員識別情報に対応付けて前記会員有価価値記憶手段に記憶されている有価価値の大きさに、前記有価価値付与指示に基づいて特定される有価価値の大きさを加算更新して付与する有価価値付与手段と、
前記受付け通知送信手段から送信される会員用記録媒体受付け通知を受信したときに、該受信した会員用記録媒体受付け通知に含まれる会員識別情報に対応付けて前記会員有価価値記憶手段に記憶されている有価価値の大きさを特定する有価価値特定手段と、
該有価価値特定手段にて特定された有価価値の大きさを特定可能な有価価値特定情報を、前記会員用記録媒体受付け通知の送信元の端末装置に送信する有価価値特定情報送信手段と、
を備え、
前記端末装置は、前記有価価値特定情報送信手段から送信される有価価値特定情報から特定される有価価値の大きさを当該店舗において会員が使用するための処理を行う有価価値使用処理手段を備えることを特徴とする店舗用システム。
【請求項２】
前記管理装置は、
前記有価価値付与手段により付与した有価価値の大きさに対する代価の支払いを要求するための支払要求情報を記憶するための支払要求情報記憶手段と、
該支払要求情報記憶手段に記憶している支払要求情報を前記集中管理装置に対して送信する支払要求情報送信手段と、
を備え、
前記集中管理装置は、前記支払要求情報送信手段から送信される支払要求情報を請求情報として記憶する請求情報記憶手段を備えることを特徴とする請求項１に記載の店舗用システム。
【請求項３】
前記会員関連情報記憶手段には、当該会員に対して前記アンケート配信手段により配信されて回答済みとなったアンケートを特定可能な情報が記憶され、
前記アンケート配信手段は、配信対象のアンケートが、前記会員関連情報記憶手段の記憶情報から特定される回答済みのアンケートではないことを条件に、該配信対象のアンケートのアンケート情報を配信することを特徴とする請求項１または２に記載の店舗用システム。
【請求項４】
前記管理装置は、
前記受付け通知送信手段から送信される会員用記録媒体受付け通知を受信したときに、該受信した会員用記録媒体受付け通知に含まれる会員識別情報に対応付けて前記会員有価価値記憶手段に前記有価価値付与手段にて新たに付与された有価価値の大きさが存在するか否かを判定する新規付与判定手段と、
該新規付与判定手段によって新たに付与された有価価値の大きさが存在すると判定されることに基づいて、該新たに付与された有価価値の大きさが存在する旨を示す判定情報を、会員用記録媒体受付け通知の送信元の端末装置に送信する判定情報送信手段と、
を備え、
前記端末装置は、前記判定情報送信手段から送信される前記判定情報の受信に基づいて、アンケート回答によって新たに付与された有価価値の大きさが存在する旨を報知する報知手段を備えることを特徴とする請求項１〜３のいずれかに記載の店舗用システム。
【請求項５】
前記アンケート情報記憶手段には、前記アンケート情報に対応付けて当該アンケート情報の配信対象とする会員の属性情報に関する対象条件が記憶され、
前記集中管理装置は、
前記会員の会員識別情報に対応付けて前記会員関連情報記憶手段に記憶されている属性情報が、前記アンケート情報記憶手段にアンケート情報に対応付けて記憶されている対象条件を満たすか否かに基づいて、当該会員が配信対象であるアンケート情報を特定するアンケート情報特定手段と、
を備え、
前記アンケート配信手段は、前記アンケート情報特定手段にて特定されたアンケート情報を、前記配信対象とされた会員の前記情報端末に配信することを特徴とする請求項１〜４のいずれかに記載の店舗用システム。
【請求項６】
前記集中管理装置は、前記アンケート情報記憶手段に記憶されているアンケート情報に含まれるアンケート内容への回答に対して会員に付与する有価価値の大きさを設定するための付与有価価値設定手段を備え、
前記アンケート情報記憶手段は、前記付与有価価値設定手段にて設定された会員に付与する有価価値の大きさを各アンケート情報毎に記憶し、
前記付与指示送信手段は、前記会員識別情報特定手段にて特定した会員識別情報から識別される会員が回答したアンケート内容を含むアンケート情報に対応して前記アンケート情報記憶手段に記憶されている有価価値の大きさの付与を指示する旨を含む有価価値付与指示を送信し、
前記有価価値付与手段は、前記付与指示送信手段から送信される有価価値付与指示により指示された有価価値の大きさを、該有価価値付与指示に含まれる会員識別情報に対応付けて前記会員有価価値記憶手段に記憶されている有価価値の大きさに加算更新して付与することを特徴とする請求項１〜５のいずれかに記載の店舗用システム。
【請求項７】
前記端末装置は、前記店舗としての遊技場内に複数設置される遊技機のそれぞれに対応して設けられた遊技用装置であって、
前記有価価値使用処理手段は、前記有価価値の大きさとしての当該店舗である遊技場において遊技に使用可能な遊技用価値の大きさを、当該遊技場において会員が遊技に使用するための処理を実施することを特徴とする請求項１〜６のいずれかに記載の店舗用システム。
【発明の詳細な説明】
【技術分野】
【０００１】
本発明は、遊技場等の店舗において会員登録した各会員を対象としたアンケートを実施し、該アンケートに回答した会員に対して回答の代価となる有価価値を付与する店舗用システムに関する。
【背景技術】
【０００２】
従来において、会員に対してアンケートを配信して回答を受付け、該回答に対して店舗である遊技場において使用可能な価値を付与するシステムがある。（例えば、特許文献１参照）。
【０００３】
【特許文献１】特開２００２−９２４６４号公報（第５〜６頁、第１０図）
【発明の開示】
【発明が解決しようとする課題】
【０００４】
しかしながら、前記した特許文献１において示されるシステムにあっては、アンケート回答に基づき店舗である遊技場にて使用可能な価値を付与し、該付与した価値をサーバにて集計した集計結果（付与価値）を遊技場に送信するが、これら遊技場に送信された集計結果（付与価値）からでは、店舗である遊技場にてアンケート回答者に価値を付与する際の確実な情報（ひも付け）がなされておらず、セキュリテイが十分ではないことから、アンケート回答に対する価値が付与されていない等の会員とのトラブル等を生じる畏れがあるため、店舗にて各種サービスに使用可能な、金銭の代替えとなるような付与価値を提供することが難しいという問題があった。
【０００５】
本発明は、このような問題点に着目してなされたもので、アンケート回答の代価となる店舗にて使用可能な有価価値が、確実に当該回答を実施した会員の当該店舗において所有する有価価値に付与される店舗用システムを提供することを目的とする。
【課題を解決するための手段】
【０００６】
上記課題を解決するために、本発明の請求項１に記載の店舗用システムは、
複数の店舗内に設けられ、各店舗において会員登録した会員に対して個々の遊技場において個別に発行される記録媒体であって該会員を個々に識別可能な会員識別情報が記録された会員用記録媒体を受付け、該受付けた会員用記録媒体から読み出した会員識別情報を含む会員用記録媒体受付け通知を送信する受付け通知送信手段を備える端末装置と、
該端末装置と通信可能に接続されて前記各店舗内に設けられ、当該店舗における各会員の前記会員識別情報に対応付けて、該店舗において当該会員が使用可能な有価価値の大きさを記憶するための会員有価価値記憶手段を備える管理装置と、
各店舗に設けられた前記管理装置と通信可能に接続されて前記店舗外に設けられ、各店舗毎に、前記会員登録に基づいて当該店舗の前記管理装置から送信される該店舗における各会員の属性情報を含む会員関連情報と当該会員の前記会員識別情報とを対応付けて記憶するための会員関連情報記憶手段を備え、各店舗における会員を集中管理する集中管理装置と、
から成る店舗用システムであって、
前記集中管理装置は、
アンケート依頼者から依頼されたアンケート内容を含むアンケート情報を記憶するためのアンケート情報記憶手段と、
該アンケート記憶手段に記憶されているアンケート情報を会員が操作可能な情報端末に配信するアンケート配信手段と、
該アンケート配信手段にて配信したアンケート情報に含まれるアンケート内容に対する回答を受付けるアンケート回答受付け手段と、
該アンケート回答受付け手段における回答の受付けに基づいて、当該受付けた回答を行った会員が会員登録している１の店舗における会員識別情報と該会員識別情報に対応付けて前記会員関連情報記憶手段に記憶されている会員属性情報とを特定するとともに、該特定した会員属性情報と同一の会員属性情報が前記会員関連情報記憶手段に対応付けて記憶されている会員識別情報を当該会員が会員登録している他の店舗の会員識別情報として全て特定する会員識別情報特定手段と、
前記会員識別情報特定手段にて特定された会員識別情報が複数であるときに、該特定された複数の会員識別情報が該当する店舗を特定可能な店舗情報を前記情報端末に対して送信して、該情報端末より、アンケート内容への回答により付与される有価価値の大きさを使用する店舗の指定を該送信した店舗情報から特定される店舗の内から受付ける店舗指定受付手段と、
前記店舗指定受付手段にて指定を受付けた店舗における当該会員の会員識別情報と、当該回答に対して付与する有価価値の大きさの付与を指示する旨とを含む有価価値付与指示を、該受付けた店舗に設けられた前記管理装置に送信する付与指示送信手段と、
を備え、
前記管理装置は、
前記付与指示送信手段から送信される有価価値付与指示の受信に基づいて、該有価価値付与指示に含まれる会員識別情報に対応付けて前記会員有価価値記憶手段に記憶されている有価価値の大きさに、前記有価価値付与指示に基づいて特定される有価価値の大きさを加算更新して付与する有価価値付与手段と、
前記受付け通知送信手段から送信される会員用記録媒体受付け通知を受信したときに、該受信した会員用記録媒体受付け通知に含まれる会員識別情報に対応付けて前記会員有価価値記憶手段に記憶されている有価価値の大きさを特定する有価価値特定手段と、
該有価価値特定手段にて特定された有価価値の大きさを特定可能な有価価値特定情報を、前記会員用記録媒体受付け通知の送信元の端末装置に送信する有価価値特定情報送信手段と、
を備え、
前記端末装置は、前記有価価値特定情報送信手段から送信される有価価値特定情報から特定される有価価値の大きさを当該店舗において会員が使用するための処理を行う有価価値使用処理手段を備えることを特徴としている。
この特徴によれば、アンケートに回答した会員の当該店舗における会員識別情報が前記会員識別情報特定手段にて特定され、該特定された会員識別情報を含む前記有価価値付与指示が集中管理装置から管理装置に送信されることに基づいて、該有価価値付与指示を受信した店舗に設置された管理装置において、受信した有価価値付与指示に含まれる会員識別情報に対応付けて前記会員有価価値記憶手段に記憶されている有価価値の大きさに、前記有価価値付与指示に基づいて特定される有価価値の大きさが加算更新されて付与されることから、アンケート回答の代価となる店舗にて使用可能な有価価値が、確実に当該回答を実施した会員の当該店舗において所有する有価価値に付与されるようになり、十分なセキュリテイ性を確保できるため、金銭の代替えとなるような各種サービスに使用可能な付与価値を、有価価値として提供することができる。また、会員は、アンケート回答に付与される有価価値を使用したい店舗の指定が行えるので、たとえば、複数の店舗にて会員となっている人にとっては、良く利用する店舗を指定する事等が可能となり、会員の利便性を向上できる。
【０００７】
本発明の請求項２に記載の店舗用システムは、請求項１に記載の店舗用システムであって、
前記管理装置は、
前記有価価値付与手段により付与した有価価値の大きさに対する代価の支払いを要求するための支払要求情報を記憶するための支払要求情報記憶手段と、
該支払要求情報記憶手段に記憶している支払要求情報を前記集中管理装置に対して送信する支払要求情報送信手段と、
を備え、
前記集中管理装置は、前記支払要求情報送信手段から送信される支払要求情報を請求情報として記憶する請求情報記憶手段を備えることを特徴としている。
この特徴によれば、店舗にて付与された有価価値の大きさに対する代価の支払いを要求するための支払要求情報が管理装置にて記憶されるとともに、該記憶されている支払要求情報が集中管理装置にて送信されて記憶されるようになるため、これら店舗にて付与された有価価値の大きさに対する代価の支払いを要求するための労力を削減できるともに、これらの請求内容の間違いにより店舗に損失を生じてしまう等の発生を解消できる。
【０００８】
本発明の請求項３に記載の店舗用システムは、請求項１または２に記載の店舗用システムであって、
前記会員関連情報記憶手段には、当該会員に対して前記アンケート配信手段により配信されて回答済みとなったアンケートを特定可能な情報が記憶され、
前記アンケート配信手段は、配信対象のアンケートが、前記会員関連情報記憶手段の記憶情報から特定される回答済みのアンケートではないことを条件に、該配信対象のアンケートのアンケート情報を配信することを特徴としている。
この特徴によれば、既に回答されているアンケートが配信されることを防止できる。
【０００９】
本発明の請求項４に記載の店舗用システムは、請求項１〜３のいずれかに記載の店舗用システムであって、
前記管理装置は、
前記受付け通知送信手段から送信される会員用記録媒体受付け通知を受信したときに、該受信した会員用記録媒体受付け通知に含まれる会員識別情報に対応付けて前記会員有価価値記憶手段に前記有価価値付与手段にて新たに付与された有価価値の大きさが存在するか否かを判定する新規付与判定手段と、
該新規付与判定手段によって新たに付与された有価価値の大きさが存在すると判定されることに基づいて、該新たに付与された有価価値の大きさが存在する旨を示す判定情報を、会員用記録媒体受付け通知の送信元の端末装置に送信する判定情報送信手段と、
を備え、
前記端末装置は、前記判定情報送信手段から送信される前記判定情報の受信に基づいて、アンケート回答によって新たに付与された有価価値の大きさが存在する旨を報知する報知手段を備えることを特徴としている。
この特徴によれば、店舗に設置されている端末装置に会員用記録媒体が受付けられることにより、当該受付けられた会員用記録媒体を所持する会員に対して、新たに付与された有価価値の大きさが存在する旨が報知されるようになるため、これらアンケート回答により新たな有価価値の大きさが付与されたことを会員に確実に認識させることができる。
【００１０】
本発明の請求項５に記載の店舗用システムは、請求項１〜４のいずれかに記載の店舗用システムであって、
前記アンケート情報記憶手段には、前記アンケート情報に対応付けて当該アンケート情報の配信対象とする会員の属性情報に関する対象条件が記憶され、
前記集中管理装置は、
前記会員の会員識別情報に対応付けて前記会員関連情報記憶手段に記憶されている属性情報が、前記アンケート情報記憶手段にアンケート情報に対応付けて記憶されている対象条件を満たすか否かに基づいて、当該会員が配信対象であるアンケート情報を特定するアンケート情報特定手段と、
を備え、
前記アンケート配信手段は、前記アンケート情報特定手段にて特定されたアンケート情報を、前記配信対象とされた会員の前記情報端末に配信することを特徴としている。
この特徴によれば、会員の属性に見合ったアンケート情報が配信されてアンケートの回答の受付けが実施されるようになるため、アンケートの質を高めることが可能となるとともに、アンケート依頼者にとっては、回答者の属性を絞り込んだアンケートを実施できるようになるため、依頼者の利便性も向上できる。
【００１１】
本発明の請求項６に記載の店舗用システムは、請求項１〜５のいずれかに記載の店舗用システムであって、
前記集中管理装置は、前記アンケート情報記憶手段に記憶されているアンケート情報に含まれるアンケート内容への回答に対して会員に付与する有価価値の大きさを設定するための付与有価価値設定手段を備え、
前記アンケート情報記憶手段は、前記付与有価価値設定手段にて設定された会員に付与する有価価値の大きさを各アンケート情報毎に記憶し、
前記付与指示送信手段は、前記会員識別情報特定手段にて特定した会員識別情報から識別される会員が回答したアンケート内容を含むアンケート情報に対応して前記アンケート情報記憶手段に記憶されている有価価値の大きさの付与を指示する旨を含む有価価値付与指示を送信し、
前記有価価値付与手段は、前記付与指示送信手段から送信される有価価値付与指示により指示された有価価値の大きさを、該有価価値付与指示に含まれる会員識別情報に対応付けて前記会員有価価値記憶手段に記憶されている有価価値の大きさに加算更新して付与することを特徴としている。
この特徴によれば、アンケートへの回答に対して付与される有価価値の大きさを、アンケート毎に個別に設定変更することができ、個々のアンケートにおいて付与される有価価値の大きさを、各アンケートにて個別のものとすることができる。
【００１２】
本発明の請求項７に記載の店舗用システムは、請求項１〜６のいずれかに記載の店舗用システムであって、
前記端末装置は、前記店舗としての遊技場内に複数設置される遊技機のそれぞれに対応して設けられた遊技用装置であって、
前記有価価値使用処理手段は、前記有価価値の大きさとしての当該店舗である遊技場において遊技に使用可能な遊技用価値の大きさを、当該遊技場において会員が遊技に使用するための処理を実施することを特徴としている。
この特徴によれば、会員である会員遊技者は、アンケートにて付与された有価価値である遊技用価値を、店舗である遊技場における遊技に使用することができる。
【発明を実施するための最良の形態】
【００１３】
本発明の実施例を以下に説明する。尚、以下の実施例では、店舗として複数の遊技機が設置された遊技場を適用した場合を例にとり説明する。
【実施例】
【００１４】
図１は、本実施例の店舗用システムの構成を示しており、この店舗用システムは、通信回線網としてのインターネット網に接続されたアンケート依頼者（企業）ａ、ｂ・・・の情報端末であるパソコン１５や、アンケートの回答対象となる各遊技場の会員遊技者が操作可能な情報端末であるノートパソコン４や携帯電話５等に接続され、アンケート受付け会社（例えば、各遊技場における後述する会員カードやビジターカードによる玉貸売上を管理するカード会社とされる）に設置された本発明における集中管理装置を構成するサイトサーバ１４と、該サイトサーバ１４に接続され、店舗である各遊技場に設置された会員管理コンピュータ１２０に通信回線１１を介して接続された集中管理装置を構成する管理サーバ１４０と、店舗である各遊技場において会員登録をした会員遊技者がアンケートへ回答により所有する付与度数や、各会員遊技者に関する情報の管理等を行う本発明の管理装置としての会員管理コンピュータ１２０と、該会員管理コンピュータ１２０に接続され、遊技場において複数配置された遊技島に並設される遊技機としてのカードリーダ式パチンコ機（以下パチンコ機）２に対して１対１に設置される端末装置である遊技用装置としてのカードユニット３と、から主に構成されていて、前記サイトサーバ１４はインターネット網への接続機能を有するノートパソコン４や携帯電話５、並びにアンケート依頼者のパソコン１５からアクセス可能とされている。
【００１５】
各遊技場に設置されている管理装置としての会員管理コンピュータ１２０には、図１に示すように、遊技場において複数配置された遊技島に並設される遊技機としてのパチンコ機２に対して１対１に設置される端末装置である遊技用装置としてのカードユニット３が通信ケーブル８を介して接続されており、カードユニット３からは、当該カードユニット３に会員カードが挿入されたことを示す会員識別情報である会員ＩＤを含むカード受付け通知や対応するパチンコ機２における台データ等の各種情報が送信される。
【００１６】
またアンケート受付け会社に設置されたサイトサーバ１４と管理サーバ１４０とは、ＬＡＮケーブルにより接続され双方に高速のデータ送受信を可能に構成されているとともに、管理サーバ１４０と各遊技場に設置された会員管理コンピュータ１２０とは、通信回線１１を介して双方にデータ送受可能とされており、会員管理コンピュータ１２０にて管理されている会員遊技者の属性情報が管理サーバ１４０に送信されて、各遊技場毎に管理されるとともに、後述するように、管理サーバ１４０からの度数付与指示が会員管理コンピュータ１２０に送信されてアンケートへの回答を実施した会員遊技者への付与度数の付与が実施されるようになっている。
【００１７】
まず、本実施例に用いた会員用記録媒体である会員カードについて説明すると、該会員カードは、略長方形のカード型に形成された非接触ＩＣカードとされており、該会員カードに搭載されている集積回路の内部メモリには、各会員カードを個別に識別可能な会員カードＩＤや、前記会員管理コンピュータ１２０における会員遊技者の属性情報の管理等に使用され、各会員を個々に識別可能とされた会員識別情報である会員ＩＤや、当該会員カードが発行された発行遊技場を個々に特定可能な遊技場ＩＤ等の情報が書き換え不可に記録されているとともに、パチンコ機２における遊技に使用可能なカード度数等の情報が書き換え可能に記録されている。
【００１８】
また、本実施例に用いたカードユニット３に装着されるビジターカードも、各辺の長さが前記会員カードの各辺の長さより若干短い略長方形の非接触ＩＣカードとされており、該ビジターカードに搭載されている集積回路の内部メモリには、各ビジターカードを個別に識別可能なシリアル番号やカードＩＤ並びに当該ビジターカードが使用される使用店等が書き換え不可に記録されているとともに、会員カードの未挿入時にカードユニット３に投入される金額に該当する大きさのカード度数や、装備されているカードユニット３の装置ＩＤ、並びに書き換え回数情報等の情報等が書き換え可能に記録される。
【００１９】
次いで、本実施例の端末装置である遊技用装置としてのカードユニット３について説明すると、カードユニット３は、対応するパチンコ機２と直接、及び中継端末４を介して接続されており、カードユニット３と対応するパチンコ機２との間で遊技媒体であるパチンコ球の払出（貸与）に伴なう各種信号の送受が可能とされているとともに、対応するパチンコ機２等から出力された各種遊技情報を示す信号が中継端末４を介して対応するカードユニット３に入力されるようになっている。（図３参照）
【００２０】
また、各カードユニット３は、図示しない各会員カードやビジターカードに残存するカード度数等の管理を行う図示しないシステムコントローラ並びに会員管理コンピュータ１２０とハブ（ＨＵＢ）８’（図３参照）並びに通信ケーブル８を介して双方向のデータ通信可能に接続されていて、各接続機器にはそれぞれローカルＩＰアドレスが付与されてローカルエリアネットワーク（ＬＡＮ）が形成されていて、該ローカルエリアネットワーク（ＬＡＮ）に接続されている各機器には、当該機器を個々に識別可能な装置ＩＤが付与されており、各機器が装置ＩＤとローカルＩＰアドレスとが対応付けられたＩＰアドレステーブルを各装置が有することで、装置ＩＤからローカルＩＰアドレスを特定して、当該装置ＩＤの装置との送受信を実施できるようになっている。
【００２１】
この本実施例のカードユニット３の前面には、図２に示すように、各種表示部と紙幣挿入口３０２、硬貨投入口３０３、硬貨返却ボタン３０４、突出部３０５、硬貨返却口３０８、会員カード挿入口３０９、ビジターカード装着口３１０が設けられている。
【００２２】
カードユニット３の前面に設けられた会員カード挿入口３０９とビジターカード装着口３１０とは、遊技者から見て左右方向に並設配置されている。会員カード挿入口３０９は、内蔵されるカードリーダライタ３２７（図３参照）の会員カードスロット（図示略）に連設されており、この会員カード挿入口３０９を介して会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に装着可能とされている。
【００２３】
カードユニット３の前面には、前方に突出する態様にて突出部３０５が設けられている。該突出部３０５において、遊技者側に向けられた面には、本発明の表示手段となる表示部３１２と、メインメニュー画面を表示させるためのメニュースイッチ３１６と、データ画面（図示略）を表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられており、該表示部３１２の表面には、表示部３１２に表示された表示項目を指触により入力可能とするための本発明の回答受付け手段を構成するタッチパネル３１４が設けられている。
【００２４】
図３は、カードユニット３の構成を示すブロック図である。カードユニット３は、カードリーダライタ３２７と、表示制御基板３２９と、制御ユニット３２８と、から主に構成されており、カードリーダライタ３２７及び表示制御基板３２９は、制御ユニット３２８と接続され、各種データの送受が可能とされている。
【００２５】
カードリーダライタ３２７は、会員カードやビジターカードに記録されている会員カードＩＤやカードＩＤ、会員ＩＤ、並びにカード度数等の記録情報の読み出し並びに書き込みを行うとともに、ＨＵＢ８’を介して図示しないシステムコントローラとデータ通信可能に接続されており、挿入された会員カードに記録された会員カードＩＤによる認証やカード度数の確認等をシステムコントローラとの間で行う。
【００２６】
表示制御基板３２９には、前述した表示部３１２を構成する液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００２７】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００２８】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００２９】
制御ユニット３２８には、表示制御基板３２９を介して接続されたスイッチや表示器等の電子部品に加えて、紙幣識別ユニット３２１、硬貨識別ユニット３２２が接続されている。
【００３０】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００３１】
この本実施例の制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９の制御等、全体の動作制御や後述するカード度数貸出処理やアンケート付与度数貸出処理や払戻処理等の各種処理を実行する。
【００３２】
また、制御ユニット３２８は、会員カード挿入口３０９に挿入された会員カードに対して図示しないシステムコントローラと連携してカード度数の利用の可／不可を判別する受付処理を行う。
【００３３】
また、制御ユニット３２８は、対応するパチンコ機２と接続されており、各種信号の送受が実施可能とされているとともに、通信部３３４並びにＨＵＢ８’を介して会員管理コンピュータ１２０とデータ通信可能に接続されており、該会員管理コンピュータ１２０との間において各種データの送受が可能とされていて、新たな会員カードの受付けに基づいて、当該新たに受付けた会員カードから読み出した会員ＩＤを含む会員用記録媒体受付け通知である会員カード受付け通知を会員管理コンピュータ１２０に送信する受付け通知送信処理を実施するとともに、会員管理コンピュータ１２０から送信されてくる後述する度数情報の受信に基づいて、該度数情報に含まれる新規付与度数が所有度数に加算されたことを報知するメッセージを含む画面を表示して、アンケート回答に対して新たな度数が付与されたことを会員遊技者に報知する報知処理を実施し、該受付け通知送信処理によって本発明における受付け通知送信手段が形成され、該報知処理によって本発明における報知手段が形成されている。
【００３４】
また、制御ユニット３２８は、前記報知処理にて表示した所有度数を遊技に使用するか、或いは挿入された会員カードから読み出したカード度数を遊技に使用するか、或いは、会員遊技者が以前の遊技にて貯蓄した貯蓄玉数を遊技に使用するかの遊技選択を受付ける遊技選択処理を実施する。
【００３５】
また、制御ユニット３２８は、該遊技選択処理にて、前述の報知処理にて表示した所有度数、つまりは、アンケートに回答することで当該会員遊技者に付与されることで当該会員遊技者の所有となった所有度数を遊技に使用することが選択された場合（図１４における「アンケート付与度数使用」が選択された場合）に、所有度数が残存する場合であって、パチンコ機２に備えられる図示しない貸出ボタン或いは表示部３１２に表示された貸出選択入力部の操作が検出された場合に、対応するパチンコ機２に対して貸出要求を出力し、パチンコ玉の貸出を実施させることで所有度数を遊技に使用させるアンケート付与度数貸出処理を行い、該アンケート付与度数貸出処理により本発明における有価価値使用処理手段が形成されている。
【００３６】
また、制御ユニット３２８は、前記アンケート付与度数貸出処理に供された使用度数の大きさを、表示部３１２に表示している所有度数から減算更新表示するとともに、当該使用度数と受付け中の会員カードから読み出した会員ＩＤとを含むアンケート度数使用通知を会員管理コンピュータ１２０に送信するアンケート度数使用通知送信処理を実施する。
【００３７】
また、制御ユニット３２８は、前記受付処理において受付けられた会員カードより読み出されたカード度数が残存する場合であって、パチンコ機２に備えられる図示しない貸出ボタン或いは表示部３１２に表示された貸出選択入力部の操作が検出された場合に、対応するパチンコ機２に対して貸出要求を出力し、パチンコ玉の貸出を実施させるカード度数貸出処理を行う。
【００３８】
また、会員カードが受付中でかつ残存するカード度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当するカード度数を、受付けられている会員カードより読み出されたカード度数に加算する追加入金処理を行う。
【００３９】
また、会員カードが受付けられていない場合に低額紙幣（１０００円紙幣）または硬貨（１００円硬貨、５００円硬貨）が挿入または投入されて識別された場合に、この識別された金額に相当するカード度数をビジターカード装着口３１０に装着されているビジターカードに記録した後、この記録したカード度数の全てを使用して、対応するパチンコ機２に対して貸出要求を出力し、パチンコ玉の貸出を実施させる発行貸出処理を行う。
【００４０】
また、会員遊技者が以前の遊技にて貯蓄した貯蓄玉数を、会員管理コンピュータ１２０から入手し、この入手した貯蓄玉数を使用して、対応するパチンコ機２に対して払戻要求を出力し、所定数のパチンコ玉の払い戻しを実施させる払戻処理を行う。
【００４１】
また、カードユニット３と１対１に並設されたパチンコ機２が備える図示しない返却ボタン或いは表示部３１２に表示された返却選択入力部が遊技者により操作された場合に、受付け中の会員カードの返却を実施させる返却処理を行う。
【００４２】
次いで、本実施例に用いた本発明の管理装置である会員管理コンピュータ１２０の構成を、図４を用いて説明すると、本実施例の会員管理コンピュータ１２０は、図４に示すように、コンピュータ内部にてデータの送受を行うデータバス１２１に、該会員管理コンピュータ１２０が実施する各種処理を行うＣＰＵ１２２、ワークメモリ等として使用されるＲＡＭ１２３、時刻情報やカレンダ情報を出力するＲＴＣ１３１、磁気ディスクや光磁気ディスクから成る記憶装置１２４、各種情報を入力するためのキーボードやマウス等の入力装置１２５、各種情報を表示出力する表示装置１２６、印刷出力を実施するためのプリンタ１２７、遊技場内に各パチンコ機２に対応して設置されたカードユニット３や前記システムコントローラとのデータ通信を行う通信部１２８、前記管理サーバ１４０とのデータ通信を行うデジタルサービスユニット（ＤＳＵ）１３０が接続された通常のコンピュータである。
【００４３】
また、前記記憶装置１２４には、該会員管理コンピュータ１２０が処理を実施するための各種処理プログラムに加えて、各会員遊技者に関する会員関連情報が登録（記憶）される本発明における会員有価価値記憶手段並びに支払要求情報記憶手段となる会員情報テーブル（図５（ａ）参照）や、各会員遊技者の遊技によりパチンコ機２にて発生した当該会員遊技者の遊技履歴が記憶される会員別遊技履歴テーブル（図５（ｂ）参照）から成る会員管理データベース（ＤＢ）が記憶されている。
【００４４】
まず、会員管理データベースを構成する会員情報テーブルには、図５（ａ）に一部略示すように、会員遊技者に発行された会員カードに記録されている会員ＩＤに対応付けて、本人確認のための暗証番号と、その時点の貯蓄玉数が記憶される貯蓄玉数、その時点の来店ポイント数、アンケートへの回答に対し当該会員遊技者に付与されることで当該会員遊技者の所有となった所有度数、当該所有度数からその日（営業日）中において使用された使用度数、アンケートに回答することで新たに付与された新規付与度数、並びに当該会員カードを所持する会員遊技者の氏名（名字並びに名前）、性別、年齢、誕生日、職業、郵便番号、住所、電話番号、携帯電話番号等の個人情報や、交通手段、趣味、記念日、電子メールアドレス等から成る会員遊技者の属性情報が記憶されていて、各会員遊技者が所有する所有度数や新規付与度数の有無を特定できるようになっているとともに、その営業日中において所有度数から使用された各会員遊技者の使用度数と、当該使用度数を合計することで、遊技場全体における使用度数を集計して把握できるようになっている。
【００４５】
また、本実施例の会員管理コンピュータ１２０の前記ＣＰＵ１２２は、管理サーバ１４０から受信した本発明における有価価値付与指示となる度数付与指示の受信に基づいて、受信した度数付与指示に含まれる会員ＩＤに対応して会員情報テーブルに記憶されている新規付与度数に、該度数付与指示に含まれる付与度数を加算更新する有価価値付与処理を実施し、該有価価値付与処理にて本発明における有価価値付与手段が形成されている。
【００４６】
また、本実施例の会員管理コンピュータ１２０の前記ＣＰＵ１２２は、カードユニット３の制御ユニット３２８（通信部３３４）から、新規の会員カードの受付けに基づいて送信される会員カード受付け通知の受信に基づいて、当該会員カード受付け通知に含まれる会員ＩＤから識別される会員遊技者に対して新たなに付与された新規付与度数が存在するか否かを、前記会員情報テーブルに当該会員ＩＤに対応する新規付与度数の項目に、度数が存在するか否かに基づいて判定する新規付与判定処理を実施し、該新規付与判定処理において新規付与度数が存在すると判定されたときには、該新たに付与された有価価値が存在する旨を示す当該新規付与度数を含む本発明における判定情報となる度数情報をカードユニット３に送信する度数情報送信処理を実施し、該新規付与判定処理によって本発明における新規付与判定手段が形成され、該度数情報送信処理によって本発明における判定情報送信手段が形成されている。
【００４７】
また、本実施例の会員管理コンピュータ１２０の前記ＣＰＵ１２２は、前記会員カード受付け通知の受信に基づいて、前記会員情報テーブルにおいて当該会員カード受付け通知に含まれる会員ＩＤに対応する所有度数の項目に記憶されている所有度数を特定する所有度数特定処理を実施するとともに、該所有度数特定処理にて特定した所有度数と、前記新規付与度数が存在すると判定されたときには、新規付与度数とを含む本発明における有価価値特定情報となる度数情報をカードユニット３に送信する度数情報送信処理を実施し、該所有度数特定処理によって本発明における有価価値特定手段が形成され、該度数情報送信処理により本発明における有価価値特定情報送信手段が形成されている。
【００４８】
また、本実施例の会員管理コンピュータ１２０の前記ＣＰＵ１２２は、前記会員情報テーブルの使用度数の項目に記憶されている当日において所有度数から使用された使用度数を、営業終了後において集計し、該集計した総使用度数と遊技場ＩＤとを含む支払要求情報を管理サーバ１４０に送信する支払要求情報送信処理を実施し、該支払要求情報送信処理により、本発明における支払要求情報送信手段が形成されている。
【００４９】
また、本実施例の会員管理コンピュータ１２０の前記ＣＰＵ１２２は、カードユニットから送信されるアンケート度数使用通知に含まれる会員ＩＤに対応して会員情報テーブルに記憶されている使用度数に、アンケート度数使用通知に含まれる使用度数を加算更新し、所有度数から該使用度数を減算更新する更新処理を実施する。
【００５０】
次いで、本実施例に用いた管理サーバ１４０とサイトサーバ１４の構成を図６に基づいて以下に説明する。
【００５１】
まず、本実施例に用いたサイトサーバ１４の構成について説明すると、本実施例のサイトサーバ１４はコンピュータ内部にてデータの送受を行うデータバス１８１に、該サイトサーバ１４が実施する各種処理等を実施する中央演算処理装置（ＣＰＵ）１８２や、該ＣＰＵ１８２が行う処理に使用されるワークメモリ等として使用されるＲＡＭ１８３や、ＬＡＮケーブルを通じて管理サーバ１４０とのデータの送受信を行う第１通信部１８８と、前記インターネット網に接続されたアンケート依頼者の情報端末であるパソコン１５や、アンケートの回答者となる各会員遊技者が操作可能な情報端末であるノートパソコン４や携帯電話５とデータの送受信を行う第２通信部１８９と、磁気ディスクや光磁気ディスクから成り、前記ＣＰＵ１８２が実施する各種の処理を実施するための処理プログラムや、サイトを構築・運営するためのＨＴＭＬデータ等から成るＷＷＷ（ワールドワイドウェッブ）データ等の各種データが記憶された記憶装置１８４と、が接続された比較的高速の演算処理が可能なコンピュータとされている。
【００５２】
また、サイトサーバ１４の前記ＣＰＵ１８２は、インターネット網を介してサイトサーバ１４のＷＷＷ（ワールドワイドウェッブ）サイトであるアンケート受付けサイトにアクセスしてきたアンケート依頼者の情報端末であるパソコン１５へ、アンケート受付けページ（図９参照）等の各種ページの配信処理や、アンケート結果メールを送信するメール送信処理を実施する。
【００５３】
また、サイトサーバ１４の前記ＣＰＵ１８２は、各会員遊技者が操作可能な情報端末であるノートパソコン４や携帯電話５へ、後述するログインページや遊技履歴確認ページ、アンケートへの回答を受付けるための回答受付けページやアンケートへの回答により付与される度数を使用する遊技場の選択を受け付ける遊技場選択受付けページ等の各種ページを、管理サーバ１４０から送信される各種情報に基づいて生成して配信する配信処理を実施する。
【００５４】
また、サイトサーバ１４の前記ＣＰＵ１８２は、前記配信処理にてノートパソコン４や携帯電話５に配信した回答受付けページにより、アンケートへの回答を受付けて、当該受付けた回答内容を管理サーバ１４０に送信するアンケート回答受付け処理を実施し、該アンケート回答受付け処理によって本発明におけるアンケート回答受付け手段が形成されている。
【００５５】
また、サイトサーバ１４の前記ＣＰＵ１８２は、前記配信処理にてノートパソコン４や携帯電話５に配信した遊技場選択受付けページにより、アンケートの回答により付与される度数を使用する遊技場の指定を受付ける遊技場選択受付処理を実施し、該遊技場選択受付処理によって本発明における店舗指定受付手段が形成されている。
【００５６】
また、これらの処理において発生するデータ並びに受付けた各種データは、管理サーバ１４０に送信されて各種の処理や各種テーブルの更新等が実施される。つまり、ＣＰＵ１８２は各種処理において必要な情報があった場合には管理サーバ１４０と協調して各種の処理を行う。
【００５７】
また、前記記憶装置１８４には、利用者並びに遊技場が使用する各情報端末のプラットホーム（オペレーションシステム）等に依存せずに、どのプラットホームにおいても相互に使用可能なＨＴＭＬ（ハイパーテキストマークアップラングエッジ）言語にて記述され、各プラットホームにおいて動作するブラウザソフトを用いて情報の閲覧、入力が実施できるホームページ形式のＷＷＷ（ワールドワイドウェッブ）データが記憶されており、これらＷＷＷ（ワールドワイドウェッブ）データと前記各種処理プログラムとが協調して、サイト内の各種処理を実施するようになっている。
【００５８】
また、管理サーバ１４０は、コンピュータ内部にてデータの送受を行うデータバス１４１に、モニタ等の表示装置１４６や、キーボードやマウス等の入力装置１４４や、該管理サーバ１４０が実施する各種処理等を実施する中央演算処理装置（ＣＰＵ）１４２や、該ＣＰＵ１４２が行う処理に使用されるワークメモリ等として使用されるＲＡＭ１４３や、時刻情報や任意の年月日、曜日等のカレンダ情報を出力可能なリアルタイムクロック（ＲＴＣ）１４７と、前記サイトサーバ１４の第１通信部１８８にＬＡＮケーブルで相互に接続とされてデータの送受信を行う通信部１４９と、通信回線１１を通じて各遊技場に設置された会員管理コンピュータ１２０とのデータの送受信を行うデジタルサービスユニット（ＤＳＵ）１４８と、磁気ディスクや光磁気ディスクから成り、前記ＣＰＵ１４２が実施する各種処理を実施するための処理プログラムに加えて、本発明における会員関連情報記憶手段となる後述する遊技場別会員情報テーブル、遊技場別会員遊技履歴テーブル、本発明における請求情報記憶手段となる遊技場情報テーブル、会員ＩＤテーブル、本発明におけるアンケート情報記憶手段となるアンケートテーブル等の各種テーブル等が記憶された記憶装置１４５と、が接続された比較的高速の演算処理が可能なコンピュータとされている。
【００５９】
本実施例における遊技場別会員情報テーブルには、図７（ａ）に一部略示すように、各遊技場を個々に特定可能な遊技場特定情報である遊技場ＩＤに対応付けて、当該遊技場において会員登録を実施して会員用記録媒体である会員カードの発行を受けた会員遊技者の会員ＩＤが記憶されているとともに、これら各会員ＩＤに対応付けて、当該会員遊技者の氏名（名字並びに名前）、性別、生年月日、職業、郵便番号、住所、電話番号、携帯電話番号等の個人情報や、交通手段、趣味、記念日、電子メールアドレス等の会員遊技者の属性情報と、後述するアンケートテーブルに記憶されている各アンケートのアンケートＩＤとが記憶されており、これら各遊技場の各会員遊技者の属性情報に基づいて、アンケート対象者の抽出が実施されるとともに、各アンケートＩＤの項目には、当該会員に該アンケートＩＤのアンケート情報が送信されることで「済み」が記憶されることで、当該会員遊技者に既に各アンケートＩＤのアンケートデータが送信済みであるか否かを判定できるようになっている。
【００６０】
これら遊技場別会員情報テーブルに記憶されている各会員遊技者の属性情報は、本実施例では一日に１回、会員管理コンピュータ１２０から、当該会員管理コンピュータ１２０の会員情報テーブルにおいて各会員ＩＤに対応付けて記憶されている属性情報と当該遊技者の会員ＩＤと遊技場ＩＤとから成る更新データが管理サーバ１４０に対して送信されることで、該更新データを受信した管理サーバ１４０が、受信した更新データに基づいて遊技場別会員情報テーブルを更新することにより、新規に会員ＩＤが会員情報テーブルに登録された遊技者をはじめとする各遊技者の属性情報等が最新のデータに更新、管理されるようになっている。
【００６１】
また、本実施例の遊技場別会員遊技履歴テーブルには、図７（ｂ）に示すように、各遊技場を個々に識別可能とするために各遊技場に固有に付与された遊技場ＩＤに対応付けて、各遊技場において会員登録した会員遊技者の会員ＩＤが記憶されているとともに、当該各会員ＩＤ毎に、当該会員遊技者の貯蓄玉数とともに、来店日、遊技を実施したパチンコ機２の台番号並びに該台番号のパチンコ機の機種名と、遊技の開始時間（会員カードの挿入時間）、遊技の終了時間（会員カードの返却時間）、開始時間と終了時間との差である遊技時間、対応するパチンコ機２における図示しない可変表示装置において可変表示が実施された回数である始動回数、該対応するパチンコ機２において発生した大当りの回数である大当回数、対応するパチンコ機２において発生した確変大当りの回数である確変回数、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額、該収支金額に基づく遊技場の勝敗（収支金額がプラスなら勝ち、マイナスなら負け）とから成る遊技履歴とが記憶されており、これらの記憶データは、当該遊技場ＩＤに対応する遊技場に設置されている前記会員管理コンピュータ１２０から、当該会員管理コンピュータ１２０における前記会員別遊技履歴テーブル（図５（ｂ）参照）の遊技履歴が更新される毎に送信されてくる、該更新された遊技履歴データと会員ＩＤとを含む会員遊技関連情報に基づいて更新記憶される。
【００６２】
また、本実施例の遊技場情報テーブルには、図８（ａ）に示すように、各遊技場の遊技場ＩＤに対応付けて、当該遊技場において会員遊技者に発行される会員カードに記録された会員ＩＤの範囲である対応会員ＩＤと、当該遊技場の遊技場名や、所在地、並びに前記ＤＳＵ１４８並びに通信回線１１を通じて各遊技場に設置された図示しないシステムコントローラや会員管理コンピュータ１２０との通信接続を実施するための接続用情報である回線番号、並びに各遊技場に設置された会員管理コンピュータ１２０から送信される前記支払要求情報に含まれる総使用度数が月単位にて累積加算される本発明における請求情報となる請求度数合計が記憶されている。
【００６３】
また、本実施例の会員ＩＤテーブルには、図８（ｂ）に示すように、各会員遊技者の会員属性情報である電子メールアドレスに対応付けて、当該会員遊技者が会員となっている遊技場の遊技場ＩＤに対応する項目には、当該遊技場における当該会員遊技者の会員ＩＤが記憶されているとともに、当該会員遊技者が会員ではない遊技場の遊技場ＩＤに対応する項目には「−」が記憶（登録）されており、各会員遊技者がどの遊技場において会員となっているか、並びに会員となっている各遊技場における会員ＩＤとを、同一の電子メールアドレスの登録に基づいて簡便に特定できるようになっており、このようにすることで、後述のログインページにて受付けた会員ＩＤの会員遊技者が会員となっている全ての遊技場を簡便に特定できるようになっている。
【００６４】
また、本実施例におけるアンケートテーブルには、図８（ｃ）に示すように、アンケート受付けサイトを構成するサイトサーバ１４にてアンケート依頼者から受付けたアンケートを個々に識別可能とするアンケートＩＤに対応付けて、アンケートに関する情報である、アンケート依頼者に付与されたクライアントＩＤと、アンケートを受付けた受付日と、アンケート名と、アンケートの対象者とする会員遊技者の属性情報に関する対象条件と、当該アンケートへの回答に対して付与される付与度数の大きさと、アンケートの実施期間と、アンケート結果（集計結果）の電子メールをアンケート依頼者のパソコン１５に送信する時期である集計結果送信スケジュールと、当該アンケートの内容データが記憶されたアンケートファイル（アンケートデータ）へのパスデータと、会員管理コンピュータ１２０から送信される蓄積データによる集計結果に基づいて更新される集計結果ファイルへのパスデータと、当該アンケートへの回答により付与度数の付与指示（度数付与指示）が送信されることにより、付与された付与度数の累計となる付与済み度数とが記憶されている。
【００６５】
また、本実施例の管理サーバ１４０のＣＰＵ１４２は、前記サイトサーバ１４にて受付けたアンケートに、当該アンケートを個々に識別可能なアンケートＩＤを付与するアンケートＩＤ付与処理を実施するとともに、該アンケートＩＤ付与処理にて付与したアンケートＩＤに対応付けて、受付けたアンケートの対象者となる会員遊技者の属性情報に関する対象条件や、回答に付与する度数の大きさ等を含むアンケートに関するアンケート情報をアンケートテーブル（図８参照）に記憶（登録）することで設定するアンケート登録処理を実施し、該アンケート登録処理により本発明における付与有価価値設定手段が形成されている。
【００６６】
また、本実施例の管理サーバ１４０のＣＰＵ１４２は、前記サイトサーバ１４にて形成される会員遊技者が自分の遊技履歴を確認することのできる会員サービスサイトにログインしてきた会員遊技者の会員ＩＤに基づいて、当該会員ＩＤに対応付けて遊技場別会員情報テーブルに記憶されている当該会員遊技者の属性情報を特定し、該特定した属性情報から、当該会員遊技者が対象条件を満たしているアンケート情報を特定するアンケート情報特定処理を実施し、該アンケート情報特定処理によって本発明におけるアンケート情報特定手段が形成されている。
【００６７】
また、本実施例の管理サーバ１４０のＣＰＵ１４２は、前記アンケート情報特定処理にて特定したアンケート情報に基づく回答受付けページを、サイトサーバ１４にアクセスしてきた当該会員遊技者の情報端末、例えばノートパソコン４に対してサイトサーバ１４を介して配信するアンケート情報配信処理を実施し、該アンケート情報配信処理によって本発明におけるアンケート配信手段が形成されている。
【００６８】
また、本実施例の管理サーバ１４０のＣＰＵ１４２は、前記サイトサーバ１４におけるアンケート回答受付け処理により送信される回答内容の受信に基づいて、当該受付けた回答を行った会員遊技者が会員となっている全ての遊技場の会員ＩＤを、前記会員ＩＤテーブルの登録情報に基づいて全て特定する会員ＩＤ特定処理を実施し、該会員ＩＤ特定処理によって本発明における会員識別情報特定手段が形成されている。
【００６９】
また、本実施例の管理サーバ１４０のＣＰＵ１４２は、会員ＩＤ特定処理にて特定したアンケートへの回答を実施した会員遊技者が会員となっている全ての遊技場の遊技場名を含む遊技場情報をサイトサーバ１４に送信して、サイトサーバ１４から会員遊技者の情報端末である、例えばノートパソコン４に、当該遊技場情報に含まれる各遊技場名の遊技場を、個々に選択可能とされた遊技場選択受付けページを配信させる。尚、会員遊技者が１つの遊技場においてのみ会員である場合には、遊技場選択受付けページの配信は実施しない。
【００７０】
また、本実施例の管理サーバ１４０のＣＰＵ１４２は、サイトサーバ１４における前記遊技場選択受付処理において送信される後述の遊技場選択ページにて会員遊技者により指定された遊技場の遊技場名を含む選択遊技場情報の受信に基づいて、当該遊技場名の遊技場の遊技場ＩＤを特定するとともに、該特定した遊技場ＩＤの遊技場におけるアンケートへの回答を実施した当該会員遊技者の会員ＩＤを特定する。尚、会員遊技者が１つの遊技場、つまりはログインしてきた会員ＩＤに該当する遊技場のみに会員登録している場合には、前述したように、遊技場選択受付けページは配信されずに、前記ログインしてきた会員ＩＤが特定される。更に、該アンケートへの回答により付与される付与度数を、前記アンケートテーブルにおいて当該会員遊技者の情報端末である、例えばノートパソコン４に配信したアンケート情報のアンケートＩＤに対応して記憶されている付与度数の大きさから特定する。そして、これら特定した会員遊技者により指定された遊技場における当該会員遊技者の会員ＩＤと、回答に対して付与する度数の大きさである付与度数の付与を指示する旨となる付与度数自体を含む度数付与指示を、指定された遊技場に設置されている会員管理コンピュータ１２０に対して送信する度数付与指示送信処理を実施し、該度数付与指示送信処理によって本発明における付与指示送信手段が形成されている。
【００７１】
また、本実施例の管理サーバ１４０のＣＰＵ１４２は、会員管理コンピュータ１２０における前述の支払要求情報送信処理において送信される支払要求情報の受信に基づいて、該支払要求情報に含まれる総使用度数を、該支払要求情報に含まれる遊技場ＩＤに対応して遊技場情報テーブルに記憶されている請求情報となる請求度数合計に加算更新する請求情報記憶処理を実施し、該請求情報記憶処理により本発明における請求情報記憶手段が形成されている。
【００７２】
ここで、本実施例のサイトサーバ１４にてアンケート依頼者からアンケートを受付ける流れについて説明すると、まず、アンケート依頼者は、アンケート受付け会社にサイト会員の申込を実施して、予めクライアントＩＤとパスワードの発行を受けておく。これらクライアントＩＤとパスワードの情報は、管理サーバ１４０の図示しないクライアントテーブルに登録されており、該クライアントテーブルには、各クライアントであるアンケート依頼者の電子メールアドレスがクライアントＩＤに対応付けて登録されており、アンケート集計結果の電子メールが、該クライアントテーブルに登録（記憶）されている各アンケート依頼者であるクライアントの電子メールに送信されるようになっている。
【００７３】
これら予めサイト会員の申込を実施したアンケート依頼者（クライアント）がアンケートの依頼を実施したい場合には、クライアントＩＤとパスワードとともに予め通知されているアンケート受付けサイトのＵＲＬにアクセスすることで、クライアントＩＤとパスワードとを受付ける図示しない「ログイン」ページがアンケート依頼者のパソコン１５に配信されて、クライアントＩＤとパスワードの受付けが実施される。
【００７４】
これら配信された「ログイン」ページにてアンケート依頼者がクライアントＩＤとパスワードと入力した場合には、該入力されたクライアントＩＤとパスワードとが、サイトサーバ１４と介して管理サーバ１４に送信されて、該クライアントＩＤとパスワードが、前記クライアントテーブルに登録（記憶）されているクライアントＩＤに対応するパスワードに一致するか否かに基づく認証が実施され、該認証がＯＫである場合において、ログインが許諾されて、サイトサーバ１４から図９に示すアンケート受付けページが、アンケート依頼者のパソコン１５に配信される。
【００７５】
この本実施例におけるアンケート受付けページには、図９に示すように、その上部位置に、新たに受付けるアンケートに付与されるアンケートＩＤと、アンケート受付け日と、クライアントＩＤとが表示されており、その下方領域に、新たに依頼するアンケートに関する設定内容を入力するための設定入力部が設けられている。尚、本実施例においてアンケートに付与されるアンケートＩＤは、その先頭部にクライアントＩＤが、該クライアントＩＤに続けてアンケート受付け日が、アンケート受付け日に続く最終の１桁がそのアンケート受付け日において当該同一のクライアントから受付けたアンケートのシリアル番号とされており、該アンケートＩＤから、クライアントＩＤやアンケート受付け日も特定できるようになっている。
【００７６】
この本実施例のアンケート受付けページにおける設定入力部には、図９に示すように、アンケートを実施する実施期間を設定するための「アンケート実施期間」の項目と、アンケート名を入力するための「アンケート名」の項目と、アンケートを実施するアンケート対象者とする会員遊技者の属性情報に関する対象条件を選択設定するための「アンケート対象条件」の項目と、アンケート結果（集計結果）の電子メールが送信される送信タイミングを選択設定するための「集計結果送信スケジュール」の項目と、当該アンケートへの回答に対して付与する付与度数の大きさを設定するための付与度数の項目ととともに、会員遊技者が操作可能な情報端末、例えばノートパソコン４に表示されるアンケート内容となるアンケートデータのファイルを選択してアップロードするための「アンケートデータのアップロード」の項目とが設けられている。
【００７７】
この設定入力部においてアンケート依頼者であるクライアントは、所望するアンケート実施期間を「アンケート実施期間」の項目に設定し、アンケート名を「アンケート名」の項目に入力し、アンケート対象としたい会員遊技者の属性情報、例えば「男性限定」や「女性限定」や「４０歳以上」等のように「アンケート対象条件」のポップアップメニューの中から選択して設定し、所望するアンケート結果（集計結果）の電子メールの送信タイミングを「集計結果送信スケジュール」の項目に設定し、当該アンケートへの回答に対して付与する付与度数の大きさを設定し、予めアンケート受付け会社から配布されたアンケート作成ユーテリティプログラムにより作成したアンケートファイルへのパスを「参照」を選択入力して「アンケートデータのアップロード」の項目に表示させた後、「送信」の選択入力部を選択入力することで、これら設定入力部にて設定された内容であるアンケート実施期間の情報や、アンケート名、アンケート対象条件の情報、集計結果送信スケジュールの情報、付与度数の情報とアップロードされたアンケートファイルとともにアンケートＩＤとクライアントＩＤが管理サーバ１４０に送信されることで、該管理サーバ１４０の前記アンケートテーブルの対応する項目に、該送信されてきた各情報が登録（記憶）される。
【００７８】
次いで、このようにしてアンケート受付けサイトにてアンケート依頼者（クライアント）から受付けられ、管理サーバ１４０のアンケートテーブルに登録されたアンケートが実施される流れについて、図１０〜図１３に示す会員遊技者が操作可能な情報端末である、例えばノートパソコン４に表示される表示画面と、図１５に示す処理状況とに基づいて説明する。
【００７９】
まず、会員遊技者が、自分が会員となっている遊技場の収支等の遊技履歴を確認したい場合に、前記サイトサーバ１４により形成されている会員サービスサイトにアクセスすると、サイトサーバ１４から図１０に示すログインページが配信される。
【００８０】
このログインページには、図１０に示すように、会員ＩＤを入力するための会員ＩＤ入力部と、暗証番号を入力するための暗証番号入力部とが設けられており、会員遊技者は、これら各入力部に自分が会員となっている遊技場の内、遊技履歴の確認を行いたい遊技場における会員ＩＤ並びに暗証番号を入力した後、当該ログインページの下方位置に設けられている「ログイン」の選択入力部を選択入力する。
【００８１】
この「ログイン」の選択入力部の選択入力に基づいて、サイトサーバ１４は、当該ログインページにて受付けた会員ＩＤと暗証番号とを管理サーバ１４０に送信することで、管理サーバ１４０において、前述のように、入力された会員ＩＤに対応する遊技場が特定されるとともに暗証番号に基づく照合処理が実施され、該照合処理における照合が一致した場合において、前記遊技場別会員情報テーブル並びに遊技場別会員遊技履歴テーブルにおいて当該特定された遊技場の遊技場ＩＤと会員ＩＤとに対応して記憶されている当該会員遊技者の貯蓄玉数や、来店ポイント並びに収支を含む遊技履歴が抽出され、該抽出された貯蓄玉数や、来店ポイント並びに収支を含む遊技履歴が管理サーバ１４０からサイトサーバ１４へ送信されることで、これら抽出された貯蓄玉数や、来店ポイント並びに収支を含む遊技履歴が表示された図１１に示す遊技履歴確認ページが会員遊技者の情報端末である、例えばノートパソコン４に配信されることで、会員遊技者は、前記ログインページにて入力した会員ＩＤに対応する遊技場における貯蓄玉数や各遊技での収支等の遊技関連情報を確認することができる。
【００８２】
また、この遊技履歴確認ページの下方位置には、図１１に示すように、メッセージが表示されるメッセージ表示部が設けられており、該メッセージ表示部には、当該会員遊技者がアンケート対象となっている実施中のアンケートが存在する場合に、対象となっているアンケートが存在するとともに、アンケートへの回答により度数がプレゼントされる旨とを報知するメッセージとともに、アンケートへの回答希望を受付けるための「アンケート」の選択入力部が表示されている。
【００８３】
これら、ログインした会員遊技者が、アンケート対象者であるか否かの判定は、具体的には、管理サーバ１４０のＣＰＵ１４２が、ログインページにて入力されることでサイトサーバ１４から送信されてきた会員ＩＤ並びに当該会員ＩＤが対応する遊技場ＩＤに対応付けて遊技場別会員情報テーブルに記憶されている属性情報を抽出して当該会員遊技者の属性情報を特定し、当該属性情報がその時点において実施中のアンケートにおけるアンケート対象者の条件を満たすか否かに基づいて、当該会員遊技者がアンケート対象者となっているアンケートが存在するか否かを判定するとともに、該判定においてアンケート対象者となっているアンケートが存在する場合には、当該アンケートが既に該会員遊技者に送信されてアンケートの回答の受付けが実施されていないかを、遊技場別会員情報テーブルにおいて、該アンケート対象者であると判定したアンケートのアンケートＩＤ並びに当該会員遊技者の会員ＩＤに対応する項目に「済み」が記憶されているか否かにより判定し、該判定において未送信であると判定された場合において、前述の図１１に示すアンケートに関するメッセージを含む遊技履歴確認ページがサイトサーバ１４から配信される。
【００８４】
そして、会員遊技者がアンケートへの回答を実施しようと、前記「アンケート」の選択入力部を選択入力した場合には、該選択入力がサイトサーバ１４にて受付けられることに基づいて、該サイトサーバ１４から管理サーバ１４０に対し、アンケート要求が送信されることで、前記にてアンケート対象者として判定したアンケートＩＤのアンケートデータ（アンケートファイル）がアンケートテーブルから読み出されてサイトサーバ１４に送信されることで、当該アンケートデータ（アンケートファイル）に基づく、図１２に示す回答受付けページがサイトサーバ１４より配信される。
【００８５】
会員遊技者は、該配信された回答受付けページに表示された各質問に対して、「はい」、「いいえ」を選択してアンケートへの回答を実施した後、当該回答受付けページの下方位置に表示されている「送信」の選択入力部を選択入力する。
【００８６】
この「送信」が選択入力された場合には、該選択入力とともに「はい」、「いいえ」の選択内容となる回答内容がサイトサーバ１４にて受付けられることに基づいて、該サイトサーバ１４から管理サーバ１４０に対し、該回答内容を含む回答結果が送信され、管理サーバ１４０において、該回答結果に基づいて前記にてアンケートデータ（アンケートファイル）を送信したアンケートＩＤのアンケート結果ファイルが更新される。尚、このアンケート結果ファイルが更新された段階において、遊技場別会員情報テーブルにおいて当該会員ＩＤと当該アンケートＩＤとに対応する項目に「済み」が記憶（登録）される。
【００８７】
そして、管理サーバ１４０は、会員ＩＤテーブルに前記ログインページにて受付けることでサイトサーバ１４から送信されてきた会員ＩＤに対応付けて記憶されている他の会員ＩＤと、当該会員ＩＤが対応する遊技場を全て特定して、当該会員遊技者がログインしてきた会員ＩＤに対応する遊技場（遊技場名）並びに、当該遊技場以外に会員となっている遊技場（遊技場名）を特定することで、当該会員遊技者が会員となっている全ての遊技場（遊技場名）を特定し、該特定した遊技場（遊技場名）を含む遊技場情報をサイトサーバ１４に送信する。尚、前記ログインしてきた会員ＩＤに対応する遊技場以外に会員となっている遊技場が存在しない場合には、前述のように、遊技場情報がサイトサーバ１４に送信されないことで、該ログインしてきた会員ＩＤに対応する遊技場がアンケート回答に対して付与される付与度数を使用する遊技場として自動的に特定される。
【００８８】
この遊技場情報の送信に基づいてサイトサーバ１４は、図１３に示すように、アンケート終了のメッセージとともに、遊技場情報に含まれる各遊技場（遊技場名）に対応してチェックボックス５０が設けられた遊技場一覧を含む遊技場選択ページを配信する。
【００８９】
会員遊技者は、該配信された遊技場選択ページにおいて、アンケートへの回答に対して付与される付与度数を使用したい遊技場に対応するチェックボックス５０をチェックした後、当該ページの下部位置に表示されている「決定」の選択入力部を選択入力する。尚、本実施例では、これらチェックボックス５０をチェックは、排他選択とされていて、１つの遊技場のみを指定できるようにしているが、本発明はこれに限定されるものではなく、これらチェックボックス５０のチェックを、複数選択できるようにし、選択された遊技場が複数である場合には、選択された各遊技場に均等に付与度数を割り振るようにしても良い。
【００９０】
この「決定」が選択入力された場合には、該選択入力とともにチェックにより選択された遊技場（遊技場名）がサイトサーバ１４にて受付けられることに基づいて、該選択された遊技場の遊技場名を含む選択遊技場情報が、サイトサーバ１４から管理サーバ１４０に対して送信されることにより、管理サーバ１４０は、当該選択された付与度数を付与する遊技場並びに該遊技場における当該会員遊技者の会員ＩＤとを特定するとともに、当該回答されたアンケートに対応する付与度数を、前記にてアンケートデータ（アンケートファイル）を送信したアンケートＩＤに対応付けてアンケートテーブルに記憶されている付与度数から特定する。そして、該特定した遊技場に設置されている会員管理コンピュータ１２０に、該特定した当該遊技場における会員ＩＤと特定した付与度数とを含む度数付与指示を送信するとともに、前記アンケートテーブル中の回答されたアンケートのアンケートＩＤに対応する付与済み度数に度数付与指示に含まれる付与度数を加算更新する。尚、これら付与済み度数に集計された度数に基づいて、所定期間、例えば１ヶ月単位にて、当該アンケートを依頼したクイライアントに対して請求が実施されることで、当該請求された代金の精算が、クイライアント会社とアンケート受付け会社との間にて実施される。
【００９１】
この度数付与指示に基づいて、会員管理コンピュータ１２０は、図１６に示すように、受信した度数付与指示に含まれる会員ＩＤに対応して会員情報テーブルに記憶されている新規付与度数に、該度数付与指示に含まれる付与度数を加算更新して付与度数の付与を実施する。
【００９２】
次いで、このようにして各遊技場にて付与された付与度数がカードユニット３において使用される流れについて、図１４並びに図１６に基づいて以下に説明する。
【００９３】
前述のようにしてアンケートへの回答を実施した会員遊技者が遊技場に来場し、カードユニット３の会員カード挿入口３０９に会員カードを挿入すると、該挿入された会員カードからカードリーダライタ３２７により、会員ＩＤを含む記録情報が読み出されて制御ユニット３２８に出力されることで、制御ユニット３２８は、会員カードの新規受付けがあったものと判断し、該新たに受付けた会員カードから読み出した会員ＩＤと当該カードユニット３を個々に特定可能に付与された装置ＩＤとを含む会員カード受付け通知を会員管理コンピュータ１２０に送信する。
【００９４】
該会員カード受付け通知の受信に基づいて会員管理コンピュータ１２０のＣＰＵ１２２は、該受信した会員カード受付け通知に含まれる会員ＩＤに対応して会員情報テーブルに記憶されている来店ポイントに、所定の来店ポイントを１日において１回のみ加算して会員情報テーブルを更新するとともに、該会員情報テーブルにおいて該会員ＩＤに対応して新規付与度数に度数が存在する否かを確認する。
【００９５】
該確認において、受信した会員IDに対応する新規付与度数に度数が存在する場合には該新規付与度数を所有度数に加算するとともに、加算した新規付与度数と加算後の所有度数とを含む度数情報を、会員カード受付け通知を送信してきたカードユニット３に対して返信（送信）する。尚、該確認において、新規付与度数に度数が存在しない場合で所有度数が存在する場合には、所有度数とを含む度数情報がカードユニット３に対して返信（送信）され、前記した新規付与度数並びに所有度数の双方が存在しない場合には、双方の度数が存在しない旨を示す会員カード取り込み応答を返信する。
【００９６】
この度数情報の受信に基づいて、カードユニット３の制御ユニット３２８は、図１４（ａ）に示す如く、受付けた会員カードから読み出したカード度数に相当するカード残額とともに、受信した度数情報に含まれる新規付与度数が所有度数に加算されたことを報知するメッセージと、３つの遊技方法を選択するための選択メニューとを含む遊技選択受付け画面を表示部３１２に表示することで、会員遊技者に対して、アンケートへの回答により付与度数の付与があったことと、該付与された付与度数が所有度数に加算されたことを報知するとともに、遊技方法の選択を会員遊技者から受付ける。尚、会員管理コンピュータ１２０から所有度数のみを含む度数情報を受信した場合には、新規付与度数が所有度数に加算されたことを報知するメッセージを有しないが、所有度数のみが表示された遊技選択受付け画面が表示され、更には、会員管理コンピュータ１２０から会員カード取り込み応答を受信した場合には、前述の新規付与度数の加算や所有度数のメッセージを有しないとともに、後述するアンケート付与度数使用の項目を有しない遊技選択受付け画面が表示される。
【００９７】
これら遊技方法として本実施例では、図１４（ａ）に示す如く、受付けた会員カードから読み出したカード度数を使用して遊技を行う通常度数使用の項目と、アンケートへの回答により付与されて当該会員遊技者の所有となった所有度数を使用して遊技を行うアンケート付与度数使用の項目と、貯蓄玉数を使用して遊技を行う貯玉再プレイの項目が設けられている。
【００９８】
この遊技選択受付け画面において、会員遊技者が通常度数使用の項目が選択された場合には、図１４（ｄ）に示すように、カード度数に相当するカード残額が表示される通常貸出画面が表示部３１２に表示されて、前述のカード度数貸出処理が実施されることで、カード度数を使用した遊技が可能となる。
【００９９】
また、遊技選択受付け画面において、貯玉再プレイの項目が選択された場合には、前述の払戻処理が実施されることで、貯蓄玉数を使用した遊技が可能となる。具体的には、貯玉再プレイの項目選択に基づいて、制御ユニット３２８は、表示部３１２に、図１４（ｂ）に示すように、暗証番号受付け画面を表示させて暗証番号の受付けを実施するとともに、該受付けた暗証番号と、会員ＩＤと、装置ＩＤとを含む貯玉抽出要求を会員管理コンピュータ１２０に送信する。
【０１００】
この貯玉抽出要求の受信に基づいて会員管理コンピュータ１２０は、貯玉抽出要求に含まれる会員ＩＤに対応して前記会員情報テーブルに記憶されている暗証番号と、貯玉抽出要求に含まれる暗証番号とを照合し、該照合において双方の暗証番号が一致した場合において、該会員カードの使用を許容する認証処理を実施し、貯玉抽出要求に含まれる会員カードＩＤに対応して登録されている貯蓄玉数を抽出してカードユニット３の制御ユニット３２８に返信する。
【０１０１】
該貯蓄玉数の返信に基づいて制御ユニット３２８は、返信されてきた貯蓄玉数に該当する再プレイ回数を算出し、該算出した再プレイ回数と貯蓄玉数とを表示部３１２に表示する（図１４（ｃ））。
【０１０２】
この段階にて会員遊技者が前記再プレイボタン３１９を操作すると、再プレイ回数が存在する場合において、カードユニット３が対応するパチンコ機２からパチンコ球の払出（払戻）が実施されることで、遊技者は、一度遊技にて獲得した貯蓄玉数を再度遊技に使用することができる。
【０１０３】
一方、遊技選択受付け画面において、アンケート付与度数使用の項目が選択された場合には、１４（ｅ）に示すように、所有度数が表示されたアンケート付与度数使用画面が表示されて前述のアンケート付与度数貸出処理が実施される。具体的には、該アンケート付与度数使用画面に表示されている貸出の選択入力部或いは、図示しないパチンコ機２に設けられている貸出ボタンを会員遊技者が操作することで、カードユニット３が対応するパチンコ機２からパチンコ球の払出が実施される。
【０１０４】
そして、該パチンコ球の払出に伴い、制御ユニット３２８は、該アンケート付与度数貸出処理に使用された使用度数を、１４（ｆ）に示すように、表示部３１２に表示されている所有度数から減算更新するとともに、該使用度数と会員ＩＤとを含むアンケート度数使用通知を会員管理コンピュータ１２０に対して送信する。
【０１０５】
このアンケート度数使用通知を受信した会員管理コンピュータ１２０のＣＰＵ１２２は、受信したアンケート度数使用通知に含まれる会員ＩＤに対応して会員情報テーブルに記憶されている使用度数に使用度数を加算更新するとともに、該会員ＩＤに対応して会員情報テーブルに記憶されている所有度数から該使用度数を減算更新することで、これら使用度数や所有度数が会員管理コンピュータ１２０において管理される。
【０１０６】
そして、会員管理コンピュータ１２０のＣＰＵ１２２は、これら会員情報テーブルに記憶、管理されている全会員遊技者の使用度数を営業終了時に集計し、集計した総使用度数と遊技場ＩＤとを含む支払要求情報を、管理サーバ１４０に対して送信するとともに、会員情報テーブルの使用度数をリセットする。
【０１０７】
このようにして送信された支払要求情報の受信に基づいて管理サーバ１４０のＣＰＵ１４２は、各遊技場の会員管理コンピュータ１２０から送られてきた支払要求情報に含まれる総使用度数を、該支払要求情報に含まれる遊技場ＩＤに対応して遊技場情報テーブルに記憶されている請求度数合計に加算更新することで、各遊技場において付与されて遊技に使用された付与度数の総合計を記憶、管理するようになっており、これら請求度数合計の値に相当する代価を、アンケート受付け会社が各遊技場に対して支払うことで、月単位にて精算が実施される。
【０１０８】
以上説明したように、前記実施例の店舗用システムによれば、アンケートに回答した会員遊技者の当該遊技場における会員ＩＤが前記会員識別情報特定処理にて特定され、該特定された会員ＩＤを含む度数付与指示が集中管理装置となる管理サーバ１４０から管理装置となる会員管理コンピュータ１２０に送信されることに基づいて、該度数付与指示を受信した遊技場に設置された会員管理コンピュータ１２０において、受信した度数付与指示に含まれる会員ＩＤに対応付けて会員有価価値記憶手段となる会員情報テーブルに記憶されている新規付与度数の大きさに、受信した度数付与指示に含まれる付与度数の大きさが加算更新されて付与されることから、アンケート回答の代価となる遊技場にて遊技に使用可能な度数が、確実に当該回答を実施した会員遊技者の当該遊技場において所有する度数に付与されるようになり、十分なセキュリテイ性を確保できるため、金銭の代替えとなるような各種サービスに使用可能な度数をアンケートの回答者に付与することができる。
【０１０９】
また、前記実施例の店舗用システムによれば、各遊技場にて付与された付与度数の大きさに対する代価の支払いを要求するための支払要求情報が会員管理コンピュータ１２０にて記憶されるとともに、該記憶されている支払要求情報が管理サーバ１４０にて送信されて記憶されるようになるため、これら各遊技場にて付与された付与度数の大きさに対する代価の支払いを要求するための労力を削減できるともに、これらの請求内容の間違いにより遊技場に損失を生じてしまう等の発生を解消できる。
【０１１０】
また、前記実施例の店舗用システムによれば、会員遊技者は、アンケート回答に付与される付与度数を使用したい店舗の指定が行えるので、たとえば、複数の店舗にて会員となっている人にとっては、良く利用する店舗を指定する事等が可能となり、会員の利便性を向上できる。
【０１１１】
また、前記実施例の店舗用システムによれば、遊技場に設置されている端末装置としてのカードユニット３に会員カードが受付けられることにより、当該受付けられた会員カードを所持する会員遊技者に対して、新たに付与された付与度数が存在する旨が報知されるようになるため、これらアンケート回答により新たな付与度数が付与されたことを会員遊技者に確実に認識させることができる。
【０１１２】
また、前記実施例の店舗用システムによれば、会員遊技者の属性に見合ったアンケート情報が配信されてアンケートの回答の受付けが実施されるようになるため、アンケートの質を高めることが可能となるとともに、アンケート依頼者にとっては、回答者の属性を絞り込んだアンケートを実施できるようになるため、依頼者の利便性も向上できる。
【０１１３】
また、前記実施例の店舗用システムによれば、アンケートへの回答に対して付与される付与度数の大きさを、アンケート毎に個別に設定変更することができ、個々のアンケートにおいて付与される付与度数の大きさを、各アンケートにて個別のものとすることができる。
【０１１４】
また、前記実施例の店舗用システムによれば、会員遊技者は、アンケートにて付与された有価価値である遊技用価値としての付与度数を、店舗である遊技場における遊技に使用することができる。
【０１１５】
以上、本発明の実施例を図面により説明してきたが、具体的な構成はこれら実施例に限られるものではなく、本発明の要旨を逸脱しない範囲における変更や追加があっても本発明に含まれる。
【０１１６】
例えば、前記実施例では、管理サーバ１４０とサイトサーバ１４とを、セキュリティ性の向上の観点から個別に設けているが、本発明はこれに限定されるものではなく、これら管理サーバ１４０とサイトサーバ１４とを１つのサーバにて構成しても良い。
【０１１７】
また、前記実施例では、会員管理コンピュータ１２０の会員情報テーブルにおいて、新たに付与された付与度数の有無を判別可能とするために、新規付与度数と所有度数とを個別に記憶するようにしているが、本発明はこれに限定されるものではなく、これら新規付与度数を個別に記憶せずに、度数付与指示の受信に基づいて付与度数を所有度数に直接加算するようにしても良い。
【０１１８】
また、前記実施例では、所有度数から使用された使用度数に基づいて支払要求情報を管理サーバ１４０に送信するようにしているが、本発明はこれに限定されるものではなく、これらの支払要求情報を、新規付与度数への加算更新を実施した付与度数を集計しておき、該集計した新規付与度数に基づいて支払要求情報を管理サーバ１４０に送信するようにしても良い。
【０１１９】
また、前記実施例では、サイトサーバ１４における会員サービスサイトにアクセスしてきた会員遊技者に対してアンケートを実施するようにしているが、本発明はこれに限定されるものではなく、例えば、アンケート対象者となる会員を全て抽出し、該アンケート対象者となる会員の電子メールアドレスにアンケートメールを送信して回答メールを受信することで、アンケートの回答を受付けるようにしても良く、この場合においては、該回答メールの送信元のメールアドレスから回答した会員を特定して、当該会員が会員となっている遊技場の会員管理コンピュータ１２０に、前記度数付与指示を送信して付与度数の付与を実施するようにすれば良い。
【０１２０】
また、前記実施例では、各アンケートにおいて個別の付与度数を設定できる構成としているために、度数付与指示に回答されたアンケートに対応する付与度数を含むようにしているが、本発明はこれに限定されるものではなく、これらアンケートへの回答において付与される付与度数の大きさが、予め所定の大きさ、例えば５度数等に決められている場合には、これら付与度数を含まない会員ＩＤのみを含む度数付与指示としても良い。
【０１２１】
また、前記実施例では、各会員遊技者毎に使用度数を記憶、管理しているが、本発明はこれに限定されるものではなく、これら使用度数を、遊技場全体で累積加算しておき、各会員遊技者毎での記憶、管理を実施しないようにしても良い。
【０１２２】
また、前記実施例では、支払要求情報を一日毎に送信するようにしているが、本発明はこれに限定されるものではなく、これらの支払要求情報を所定時間、例えば１時間毎に実施したり、或いは１週間や１ヶ月毎に実施するようにしても良い。
【０１２３】
また、前記実施例では、遊技用装置であるカードユニット３が、再プレイ処理や追加入金処理や発行貸出処理を実施するようにしているが、本発明はこれに限定されるものではなく、これらのいずれか１つあるいは２つの処理機能を有するものであっても良い。
【０１２４】
また、前記実施例では、アンケートへの回答により付与された所有度数を当該店舗である遊技場にて遊技に使用する手法として、当該所有度数をパチンコ球の貸出に直接使用可能とするアンケート付与度数貸出処理を実施しているが、本発明はこれに限定されるものではなく、これらアンケート付与度数貸出処理に代えて、付与度数が所定値、例えば所定度数である１０度数以上であれば、該所定度数である１０度数のプリペイドカードを発行することで、会員遊技者が当該発行されたプリペイドカードを遊技に使用するようにしても良いし、或いは、これら付与度数を、前記追加入金処理のように、カード度数に加算更新することで、遊技に使用可能とするようにしても良いし、更には、付与度数に相当する玉数を、貯蓄玉数に加算更新することで再プレイ（払出処理）により遊技に使用可能とするようにしても良い。
【０１２５】
また、前記実施例では、端末装置となるカードユニット３を各パチンコ機２に１対１に対応して設けているが、本発明はこれに限定されるものではなく、例えば、前述のように、プリペイドカードを発行したり、追加入金処理や、貯蓄玉数への加算処理を実施する場合等においては、これらアンケートへの回答により付与された所有度数を当該店舗である遊技場にて使用するための端末装置を、店舗となる遊技場内の所定位置、例えば遊技場内に設置される遊技島の島端等に設置するようにしても良い。
【０１２６】
また、前記実施例では、アンケートへの回答に対して付与する有価価値を、店舗である遊技場における遊技に使用可能な遊技用価値である所有度数としているが、本発明はこれに限定されるものではなく、これら有価価値は、遊技への使用ができるもののみに限らず、例えば景品等との交換に使用できるものであっても良く、各店舗において各種のサービスに現金に代えて使用できるものであれば良い。
【０１２７】
また、前記実施例では、店舗として遊技場を適用した例を示したが、本発明はこれに限定されるものではなく、これら店舗としては、前記受付け通知送信手段と、有価価値使用処理手段とを備える端末装置と、前記会員有価価値記憶手段と、前記有価価値付与手段と、前記有価価値特定手段と、前記有価価値特定情報送信手段とを備える管理装置と、が設置された店舗であれば良く、例えば、コンビニエンスストアやデパート等の店舗であれば、該店舗内に設置され、各種商品の購入やサービスの予約等を実施するための顧客用の情報端末（端末装置）に前記受付け通知送信手段と、有価価値使用処理手段とを備えることで、アンケート回答に対する代価となる有価価値の付与を実施するようにすれば良い。
【０１２８】
また、前記実施例では、会員が操作可能な情報端末としてノートパソコン４や携帯電話５を例示したが、本発明はこれに限定されるものではなく、これらの情報端末は、インターネット網を介してサイトサーバ１４にアクセス可能なものであれば、特に限定されるものではない。
【０１２９】
また、前記実施例では、会員管理コンピュータ１２０においても、会員情報テーブルにおいて、各会員の属性情報を管理するようにしているが、本発明はこれに限定されるものではなく、例えば、各遊技場の会員登録をサイトサーバ１４にて受付ける場合等において、管理サーバ１４０のみにおいて、遊技場別会員情報テーブルにて各会員の属性情報を管理するようにし、会員管理コンピュータ１２０においては各会員の属性情報の管理を実施しない構成としても良い。
【０１３０】
また、前記実施例では、アンケート情報の入力が、アンケート依頼者のパソコン１５からインターネット網を介してサイトサーバ１４がアンケート情報を受付けて、該受付けたアンケート情報が管理サーバ１４０に送信されて入力されるようにしているが、本発明はこれに限定されるものではなく、これらアンケート依頼者からのアンケート依頼を、例えば、アンケート受付け会社が、ファックス等にて受付け、該受付けたアンケートのアンケート情報を、管理サーバ１４０の入力装置１４４から、直接入力するようにしても良い。
【０１３１】
また、前記実施例では、アンケート結果を電子メールにてアンケート依頼者に送信するようにしているが、本発明はこれに限定されるものではなく、これらアンケートの集計結果を、管理サーバ１４０においてプリント出力し、該プリント出力した集計結果を郵送等によりアンケート依頼者に送付するようにしても良い。
【０１３２】
前記実施例における各要素は、本発明に対して以下のように対応している。
本発明の請求項１は、複数の店舗（遊技場）内に設けられ、各店舗において会員登録した会員に対して個々の遊技場において個別に発行される記録媒体であって該会員を個々に識別可能な会員識別情報（会員ＩＤ）が記録された会員用記録媒体（会員カード）を受付け、該受付けた会員用記録媒体から読み出した会員識別情報を含む会員用記録媒体受付け通知（会員カード受付け通知）を送信する受付け通知送信手段（制御ユニット３２８；受付け通知送信処理）を備える端末装置（カードユニット３）と、該端末装置と通信可能に接続されて前記各店舗内に設けられ、当該店舗における各会員の前記会員識別情報に対応付けて、該店舗において当該会員が使用可能な有価価値（所有度数）の大きさを記憶するための会員有価価値記憶手段（記憶装置１２４；会員情報テーブル）を備える管理装置（会員管理コンピュータ１２０）と、各店舗に設けられた前記管理装置と通信可能に接続されて前記店舗外に設けられ、各店舗毎に、前記会員登録に基づいて当該店舗の前記管理装置から送信される該店舗における各会員の属性情報を含む会員関連情報と当該会員の前記会員識別情報とを対応付けて記憶するための会員関連情報記憶手段（記憶装置１４５；遊技場別会員情報テーブル）を備え、各店舗における会員を集中管理する集中管理装置（管理サーバ１４０、サイトサーバ１４）と、から成る店舗用システムであって、前記集中管理装置は、アンケート依頼者から依頼されたアンケート内容を含むアンケート情報を記憶するためのアンケート情報記憶手段（記憶装置１４５；アンケートテーブル）と、該アンケート記憶手段に記憶されているアンケート情報を会員が操作可能な情報端末（ノートパソコン４、携帯電話５）に配信するアンケート配信手段（ＣＰＵ１４２；アンケート情報配信処理）と、該アンケート配信手段にて配信したアンケート情報に含まれるアンケート内容に対する回答を受付けるアンケート回答受付け手段（ＣＰＵ１８２；アンケート回答受付け処理）と、該アンケート回答受付け手段における回答の受付けに基づいて、当該受付けた回答を行った会員が会員登録している１の店舗における会員識別情報と該会員識別情報に対応付けて前記会員関連情報記憶手段に記憶されている会員属性情報とを特定するとともに、該特定した会員属性情報と同一の会員属性情報が前記会員関連情報記憶手段に
対応付けて記憶されている会員識別情報を当該会員が会員登録している他の店舗の会員識別情報として全て特定する会員識別情報特定手段（ＣＰＵ１４２；会員ＩＤ特定処理）と、前記会員識別情報特定手段にて特定された会員識別情報が複数であるときに、該特定された複数の会員識別情報が該当する店舗を特定可能な店舗情報を前記情報端末に対して送信して、該情報端末より、アンケート内容への回答により付与される有価価値の大きさを使用する店舗の指定を該送信した店舗情報から特定される店舗の内から受付ける店舗指定受付手段と、前記店舗指定受付手段にて指定を受付けた店舗における当該会員の会員識別情報と、当該回答に対して付与する有価価値（付与度数）の大きさの付与を指示する旨とを含む有価価値付与指示（度数付与指示）を、該受付けた店舗に設けられた前記管理装置に送信する付与指示送信手段（ＣＰＵ１４２；度数付与指示送信処理）と、を備え、前記管理装置は、前記付与指示送信手段から送信される有価価値付与指示の受信に基づいて、該有価価値付与指示に含まれる会員識別情報に対応付けて前記会員有価価値記憶手段に記憶されている有価価値の大きさに、前記有価価値付与指示に基づいて特定される有価価値（付与度数）の大きさを加算更新して付与する有価価値付与手段（ＣＰＵ１２２；有価価値付与処理）と、前記受付け通知送信手段から送信される会員用記録媒体受付け通知を受信したときに、該受信した会員用記録媒体受付け通知に含まれる会員識別情報に対応付けて前記会員有価価値記憶手段に記憶されている有価価値の大きさを特定する有価価値特定手段（ＣＰＵ１４２；所有度数特定処理）と、該有価価値特定手段にて特定された有価価値の大きさを特定可能な有価価値特定情報（度数情報）を、前記会員用記録媒体受付け通知の送信元の端末装置に送信する有価価値特定情報送信手段（ＣＰＵ１４２；度数情報送信処理）と、を備え、前記端末装置は、前記有価価値特定情報送信手段から送信される有価価値特定情報から特定される有価価値の大きさを当該店舗において会員が使用するための処理を行う有価価値使用処理手段（制御ユニット３２８；アンケート付与度数貸出処理）を備える。
【０１３３】
本発明の請求項２は、前記管理装置（会員管理コンピュータ１２０）は、前記有価価値付与手段（ＣＰＵ１４２；有価価値付与処理）により付与した有価価値の大きさ（付与価値）に対する代価の支払いを要求するための支払要求情報（使用度数）を記憶するための支払要求情報記憶手段（記憶装置１２４；会員情報テーブル）と、該支払要求情報記憶手段に記憶している支払要求情報を前記集中管理装置（管理サーバ１４０）に対して送信する支払要求情報送信手段（ＣＰＵ１２２；支払要求情報送信処理）と、を備え、前記集中管理装置は、前記支払要求情報送信手段から送信される支払要求情報を請求情報（請求度数合計）として記憶する請求情報記憶手段（記憶装置１４５；遊技場情報テーブル）を備える。
【０１３４】
本発明の請求項３は、前記会員関連情報記憶手段には、当該会員に対して前記アンケート配信手段により配信されて回答済みとなったアンケートを特定可能な情報が記憶され、前記アンケート配信手段は、配信対象のアンケートが、前記会員関連情報記憶手段の記憶情報から特定される回答済みのアンケートではないことを条件に、該配信対象のアンケートのアンケート情報を配信する。
【０１３５】
本発明の請求項４は、前記管理装置（会員管理コンピュータ１２０）は、前記受付け通知送信手段（制御ユニット３２８；受付け通知送信処理）から送信される会員用記録媒体受付け通知（会員カード受付け通知）を受信したときに、該受信した会員用記録媒体受付け通知に含まれる会員識別情報に対応付けて前記会員有価価値記憶手段（記憶装置１２４；会員情報テーブル）に前記有価価値付与手段（ＣＰＵ１２２；有価価値付与処理）にて新たに付与された有価価値（新規付与度数）の大きさが存在するか否かを判定する新規付与判定手段（ＣＰＵ１２２；新規付与判定処理）と、該新規付与判定手段によって新たに付与された有価価値の大きさが存在すると判定されることに基づいて、該新たに付与された有価価値の大きさが存在する旨を示す判定情報（度数情報）を、会員用記録媒体受付け通知の送信元の端末装置（カードユニット３）に送信する判定情報送信手段（ＣＰＵ１２２；度数情報送信処理）と、を備え、前記端末装置は、前記判定情報送信手段から送信される前記判定情報の受信に基づいて、アンケート回答によって新たに付与された有価価値の大きさが存在する旨を報知する報知手段（制御ユニット３２８；報知処理、表示部３１２）を備える。
【０１３６】
本発明の請求項５は、前記アンケート情報記憶手段（記憶装置１４５；アンケートテーブル）には、前記アンケート情報に対応付けて当該アンケート情報の配信対象とする会員の属性情報に関する対象条件が記憶され、前記集中管理装置（管理サーバ１４０）は、前記会員の会員識別情報（会員ＩＤ）に対応付けて前記会員関連情報記憶手段に記憶されている属性情報が、前記アンケート情報記憶手段にアンケート情報に対応付けて記憶されている対象条件を満たすか否かに基づいて、当該会員が配信対象であるアンケート情報を特定するアンケート情報特定手段（ＣＰＵ１４２；アンケート情報特定処理）と、を備え、前記アンケート配信手段（ＣＰＵ１４２；アンケート情報配信処理）は、前記アンケート情報特定手段にて特定されたアンケート情報を、前記配信対象とされた会員の前記情報端末（ノートパソコン４、携帯電話５）に配信する。
【０１３７】
本発明の請求項６は、前記集中管理装置（管理サーバ１４０）は、前記アンケート情報記憶手段（記憶装置１４５；遊技場別会員情報テーブル）に記憶されているアンケート情報に含まれるアンケート内容への回答に対して会員に付与する有価価値（付与度数）の大きさを設定するための付与有価価値設定手段（ＣＰＵ１４２；アンケート登録処理）を備え、前記アンケート情報記憶手段は、前記付与有価価値設定手段にて設定された会員に付与する有価価値（付与度数）の大きさを各アンケート情報毎に記憶し、前記付与指示送信手段（ＣＰＵ１４２；度数付与指示送信処理）は、前記会員識別情報特定手段（ＣＰＵ１４２；会員ＩＤ特定処理）にて特定した会員識別情報（会員ＩＤ）から識別される会員が回答したアンケート内容を含むアンケート情報に対応して前記アンケート情報記憶手段に記憶されている有価価値（付与度数）の大きさの付与を指示する旨を含む有価価値付与指示（度数付与指示）を送信し、前記有価価値付与手段（ＣＰＵ１２２；有価価値付与処理）は、前記付与指示送信手段から送信される有価価値付与指示により指示された有価価値の大きさを、該有価価値付与指示に含まれる会員識別情報に対応付けて前記会員有価価値記憶手段（記憶装置１２４；会員情報テーブル）に記憶されている有価価値（新規付与度数）の大きさに加算更新して付与する。
【０１３８】
本発明の請求項７は、前記端末装置（カードユニット３）は、前記店舗としての遊技場内に複数設置される遊技機（パチンコ機２）のそれぞれに対応して設けられた遊技用装置であって、前記有価価値使用処理手段（制御ユニット３２８；アンケート付与度数貸出処理）は、前記有価価値の大きさとしての当該店舗である遊技場において遊技に使用可能な遊技用価値の大きさ（所有度数）を、当該遊技場において会員が遊技に使用するための処理を実施する。
【図面の簡単な説明】
【０１３９】
【図１】本発明の実施例における遊技用システムの構成を示すシステム図である。
【図２】本発明の実施例において用いたパチンコ機並びにカードユニットの正面図である。
【図３】本発明の実施例におけるカードユニットの構成を示すブロック図である。
【図４】本発明の実施例に用いた会員管理コンピュータの構成を示す図である。
【図５】（ａ）は、本発明の実施例に用いた会員情報テーブルを示す図であり、（ｂ）は、本発明の実施例に用いた会員別遊技履歴テーブルを示す図である。
【図６】本発明の実施例に用いた管理サーバとサイトサーバの構成を示す図である。
【図７】（ａ）は、本発明の実施例に用いた管理サーバにおける遊技場別会員情報テーブルを示す図であり、（ｂ）は、本発明の実施例に用いた遊技場別会員遊技履歴テーブルを示す図である。
【図８】（ａ）は、本発明の実施例に用いた管理サーバにおける遊技場情報テーブルを示す図であり、（ｂ）は、本発明の実施例に用いた会員ＩＤテーブルを示す図であり、（ｃ）は、本発明の実施例に用いたアンケートテーブルを示す図である。
【図９】本発明の実施例に用いたアンケート受付けサイトにおけるアンケート受付けページを示す図である。
【図１０】本発明の実施例に用いた会員サービスサイトにおけるログインページを示す図である。
【図１１】本発明の実施例に用いた会員サービスサイトにおける遊技履歴確認ページを示す図である。
【図１２】本発明の実施例に用いた会員サービスサイトにおける回答受付けページを示す図である。
【図１３】本発明の実施例に用いた会員サービスサイトにおける遊技場選択ページを示す図である。
【図１４】本発明の実施例に用いたカードユニットに表示される会員カード受付け時における表示状況を示す図である。
【図１５】本発明の実施例を構成するサイトサーバと管理サーバにおけるアンケートの実施に関する処理状況を示す図である。
【図１６】本発明の実施例を構成する管理サーバ、会員管理コンピュータ、カードユニットにおける処理状況を示す図である。
【符号の説明】
【０１４０】
２        パチンコ機
３        カードユニット
４        ノートパソコン（情報端末）
５        携帯電話（情報端末）
１４      サイトサーバ
１５      パソコン
１２０    会員管理コンピュータ
１２２    ＣＰＵ
１２４    記憶装置
１２８    通信部
１４０    管理サーバ
１４２    ＣＰＵ
１４４    入力装置
１４５    記憶装置
１８２    ＣＰＵ
１８４    記憶装置
３１２    表示部
３１４    タッチパネル
３２７    カードリーダライタ
３２８    制御ユニット
３３４    通信部
【図１】
0004748471.tif 000002
【図２】
0004748471.tif 000003
【図３】
0004748471.tif 000004
【図４】
0004748471.tif 000005
【図５】
0004748471.tif 000006
【図６】
0004748471.tif 000007
【図７】
0004748471.tif 000008
【図８】
0004748471.tif 000009
【図９】
0004748471.tif 000010
【図１０】
0004748471.tif 000011
【図１１】
0004748471.tif 000012
【図１２】
0004748471.tif 000013
【図１３】
0004748471.tif 000014
【図１４】
0004748471.tif 000015
【図１５】
0004748471.tif 000016
【図１６】
0004748471.tif 000017